(57)【要約】【課題】情報保有機関における既存システムの改修量の低減、個人情報問合せ処理の効率化を図る。【解決手段】個人番号記憶部１１２は、複数の情報保有機関装置で記憶されている個人番号が暗号化された暗号化個人番号が示され、同一人物の２つ以上の暗号化個人番号が関連付けて示される個人番号管理テーブルを記憶する。通信部１１３は、情報保有機関装置から、当該情報保有機関装置での個人番号を暗号化した暗号化個人番号が含まれ、他の情報保有機関装置で記憶されている個人情報の送信を要求する問合せメッセージを受信する。個人番号管理部１１１は、問合せメッセージ内の暗号化個人番号と関連付けられた、他の情報保有機関装置の暗号化個人番号を抽出し、問合せメッセージ内の暗号化個人番号を抽出した暗号化個人番号に置換する。通信部１１３は、置換後の問合せメッセージを、他の情報保有機関装置に送信する。【選択図】図２
2014235708.tif 000002
【特許請求の範囲】
【請求項１】
それぞれが個人番号と個人情報とを記憶する複数の情報保有装置に接続される情報処理装置であって、
前記複数の情報保有装置で記憶されている複数の個人番号が暗号化された複数の暗号化個人番号が示されるとともに、同一人物に対する２つ以上の暗号化個人番号が互いに関連付けて示される暗号化個人番号情報を記憶する暗号化個人番号情報記憶部と、
いずれかの情報保有装置から、当該情報保有装置で記憶されている個人番号を暗号化した暗号化個人番号が含まれ、他の情報保有装置で記憶されている個人情報の送信を要求する送信要求メッセージを受信する受信部と、
前記送信要求メッセージに含まれる暗号化個人番号と関連付けられている、前記他の情報保有装置の暗号化個人番号を前記暗号化個人番号情報から抽出する暗号化個人番号抽出部と、
前記暗号化個人番号抽出部により抽出された暗号化個人番号が含まれ、前記送信要求メッセージで要求されている個人情報の送信を指示する送信指示メッセージを生成するメッセージ生成部と、
前記メッセージ生成部により生成された送信指示メッセージを、前記他の情報保有装置に送信する送信部とを有することを特徴とする情報処理装置。
【請求項２】
前記受信部は、
前記送信指示メッセージを受信し、受信した前記送信指示メッセージに含まれる暗号化個人番号を復号して個人番号を取得した前記他の情報保有装置から、取得した個人番号に対応する個人情報が含まれる送信指示応答メッセージを受信し、
前記メッセージ生成部は、
前記送信要求メッセージの送信元の情報保有装置の暗号化個人番号と、前記送信指示応答メッセージに含まれる個人情報とが含まれる送信要求応答メッセージを生成し、
前記送信部は、
前記メッセージ生成部により生成された送信要求応答メッセージを、前記送信要求メッセージの送信元の情報保有装置に送信することを特徴とする請求項１に記載の情報処理装置。
【請求項３】
前記暗号化個人番号情報記憶部は、
各情報保有装置では復号できるが前記情報処理装置では復号できない特定の暗号化方式にて暗号化された複数の暗号化個人番号が示される暗号化個人番号情報を記憶していることを特徴とする請求項１又は２に記載の情報処理装置。
【請求項４】
前記情報処理装置は、
それぞれが異なる情報保有機関で用いられる複数の情報保有装置と接続され、情報連携基盤で用いられることを特徴とする請求項１〜３のいずれかに記載の情報処理装置。
【請求項５】
個人番号を管理する情報保有装置と、個人コードを管理する個人コード管理装置とに接続される情報処理装置であって、
前記情報保有装置から、特定の個人の基本情報を暗号化した暗号化基本情報と、前記特定の個人の個人番号を暗号化した暗号化個人番号とが含まれる、前記暗号化個人番号の登録を要求する暗号化個人番号登録要求メッセージを受信する受信部と、
前記暗号化個人番号登録要求メッセージに含まれる前記暗号化個人番号を登録する暗号化個人番号登録部と、
前記暗号化個人番号登録要求メッセージに含まれる前記暗号化基本情報が含まれ、前記個人コード管理装置に対して個人コードの送信を要求する個人コード要求メッセージを生成するメッセージ生成部と、
前記メッセージ生成部により生成された個人コード要求メッセージを前記個人コード管理装置に送信する送信部とを有し、
前記受信部は、
前記個人コード管理装置から、前記個人コード要求メッセージに含まれる前記暗号化基本情報に対応する個人コードを受信し、
前記暗号化個人番号登録部は、
前記受信部により受信された個人コードと、前記暗号化個人番号登録要求メッセージに含まれる暗号化個人番号とを関連付けて登録することを特徴とする情報処理装置。
【請求項６】
前記受信部は、
前記個人コード管理装置では復号できるが前記情報処理装置では復号できない暗号化方式にて暗号化した暗号化基本情報と、前記個人コード管理装置及び前記情報処理装置のいずれでも復号できない暗号化方式で暗号化した暗号化個人番号とが含まれる暗号化個人番号登録要求メッセージを受信することを特徴とする請求項５に記載の情報処理装置。
【請求項７】
前記情報処理装置は、
情報保有機関で用いられる情報保有装置と、前記個人コード管理装置とに接続され、情報連携基盤で用いられることを特徴とする請求項５又は６に記載の情報処理装置。
【請求項８】
それぞれが個人番号と個人情報とを記憶する複数の情報保有装置に接続されるコンピュータが行う情報処理方法であって、
前記複数の情報保有装置で記憶されている複数の個人番号が暗号化された複数の暗号化個人番号が示されるとともに、同一人物に対する２つ以上の暗号化個人番号が互いに関連付けて示される暗号化個人番号情報を前記コンピュータが読み出す暗号化個人番号情報読み出しステップと、
前記コンピュータが、いずれかの情報保有装置から、当該情報保有装置で記憶されている個人番号を暗号化した暗号化個人番号が含まれ、他の情報保有装置で記憶されている個人情報の送信を要求する送信要求メッセージを受信する受信ステップと、
前記コンピュータが、前記送信要求メッセージに含まれる暗号化個人番号と関連付けられている、前記他の情報保有装置の暗号化個人番号を前記暗号化個人番号情報から抽出する暗号化個人番号抽出ステップと、
前記コンピュータが、前記暗号化個人番号抽出ステップにより抽出された暗号化個人番号が含まれ、前記送信要求メッセージで要求されている個人情報の送信を指示する送信指示メッセージを生成するメッセージ生成ステップと、
前記コンピュータが、前記メッセージ生成ステップにより生成された送信指示メッセージを、前記他の情報保有装置に送信する送信ステップとを有することを特徴とする情報処理方法。
【請求項９】
個人番号を管理する情報保有装置と、個人コードを管理する個人コード管理装置とに接続されるコンピュータが行う情報処理方法であって、
前記コンピュータが、前記情報保有装置から、特定の個人の基本情報を暗号化した暗号化基本情報と、前記特定の個人の個人番号を暗号化した暗号化個人番号とが含まれる、前記暗号化個人番号の登録を要求する暗号化個人番号登録要求メッセージを受信する受信ステップと、
前記コンピュータが、前記暗号化個人番号登録要求メッセージに含まれる前記暗号化個人番号を登録する暗号化個人番号登録ステップと、
前記コンピュータが、前記暗号化個人番号登録要求メッセージに含まれる前記暗号化基本情報が含まれ、前記個人コード管理装置に対して個人コードの送信を要求する個人コード要求メッセージを生成するメッセージ生成ステップと、
前記コンピュータが、前記メッセージ生成ステップにより生成された個人コード要求メッセージを前記個人コード管理装置に送信する送信ステップとを有し、
前記受信ステップにおいて、
前記コンピュータは、
前記個人コード管理装置から、前記個人コード要求メッセージに含まれる前記暗号化基本情報に対応する個人コードを受信し、
前記暗号化個人番号登録ステップにおいて、
前記コンピュータは、
前記受信ステップにより受信された個人コードと、前記暗号化個人番号登録要求メッセージに含まれる暗号化個人番号とを関連付けて登録することを特徴とする情報処理方法。
【請求項１０】
コンピュータを、請求項１又５に記載された情報処理装置として機能させることを特徴とするプログラム。
【発明の詳細な説明】
【技術分野】
【０００１】
本発明は、複数の情報保有機関で保有されている個人情報を連携する技術に関する。
【背景技術】
【０００２】
従来の個人番号連携方式は、非特許文献１に示されるように、それぞれが個人情報を保有する複数の情報保有機関と、複数の情報保有機関の間で情報連携を行う情報連携基盤で構成されている。
そして、情報保有機関は、それぞれ、個人ごとの符号と個人番号と個人情報とを対応付けて管理している。
情報連携基盤は、ある情報保有機関から他の情報保有機関が保有する個人情報についての問合せがあった場合に、個人コードを問い合わせ先の情報保有機関の個人ごとの符号に変換し、変換により得られた符号を問合せ先の情報保有機関に通知する。
このため、問合せ先の情報保有機関で管理している個人番号を、問合せ元の情報保有機関に知らせることなく、また、情報保有機関同士が結託しても互いに管理している個人番号が同一人物の番号であることを判断できないまま、情報保有機関が他の情報保有機関に個人情報を問合せることができる。
【先行技術文献】
【非特許文献】
【０００３】
【非特許文献１】内閣官房社会保障改革担当室、「情報提供ネットワークシステム等全体機能構成図（案）」、情報連携基盤技術ＷＧ（第８回）、２０１２年３月２３日
【発明の概要】
【発明が解決しようとする課題】
【０００４】
従来の個人番号連携方式は、情報保有機関が情報連携を新たに行おうとする場合、情報保有機関は、情報連携基盤が情報保有機関ごとに発行する個人ごとに割り当てられた符号と情報保有機関ごとに管理している個人番号を関連付けるテーブルを管理する機能を構築しなければならない。
このため、情報保有機関にとって情報連携のための既存システムの改修量が大きいという課題があった。
【０００５】
また、情報保有機関が他の情報保有機関に個人情報を問合せる際に、（１）問合せ元での個人番号から対応する符号の検索、（２）情報連携基盤での問合せ元の符号から個人コードへの計算、（３）情報連携基盤での個人コードから問合せ先の情報保有機関の対応する符号への計算、（４）問合せ先での符号から個人番号の検索という４つのステップにより番号を連携しなければならず、個人情報の問合せ処理が非効率であるという課題があった。
【０００６】
この発明は、上記のような課題を解決することを主な目的としており、情報保有機関における既存システムの改修量の低減、個人情報問合せ処理の効率化を主な目的とする。
【課題を解決するための手段】
【０００７】
本発明に係る情報処理装置は、
それぞれが個人番号と個人情報とを記憶する複数の情報保有装置に接続される情報処理装置であって、
前記複数の情報保有装置で記憶されている複数の個人番号が暗号化された複数の暗号化個人番号が示されるとともに、同一人物に対する２つ以上の暗号化個人番号が互いに関連付けて示される暗号化個人番号情報を記憶する暗号化個人番号情報記憶部と、
いずれかの情報保有装置から、当該情報保有装置で記憶されている個人番号を暗号化した暗号化個人番号が含まれ、他の情報保有装置で記憶されている個人情報の送信を要求する送信要求メッセージを受信する受信部と、
前記送信要求メッセージに含まれる暗号化個人番号と関連付けられている、前記他の情報保有装置の暗号化個人番号を前記暗号化個人番号情報から抽出する暗号化個人番号抽出部と、
前記暗号化個人番号抽出部により抽出された暗号化個人番号が含まれ、前記送信要求メッセージで要求されている個人情報の送信を指示する送信指示メッセージを生成するメッセージ生成部と、
前記メッセージ生成部により生成された送信指示メッセージを、前記他の情報保有装置に送信する送信部とを有することを特徴とする。
【発明の効果】
【０００８】
本発明に係る情報処理装置は、同一人物に対する２つ以上の暗号化個人番号を関連付けて記憶しているため、個人ごとの符号を用いる必要がない。
このため、情報保有装置において符号と個人番号とを関連付ける必要がなく、新たな連携を行う場合にも情報保有装置では管理している情報を変更する必要がない。
また、本発明に係る情報処理装置は、送信要求メッセージに含まれる暗号化個人番号と関連付けられている暗号化個人番号を用いて、他の情報保有装置に個人情報の送信を指示する。
このため、問合せ元の個人番号を用いた問合せ元の符号の検索、問合せ元の符号から個人コードへの変換、個人コードから問合せ先の符号への変換、問合せ先の符号を用いた問合せ先の個人番号の検索という処理を不要にすることができる。
【図面の簡単な説明】
【０００９】
【図１】実施の形態１に係る個人情報交換システムの構成例を示す図。
【図２】実施の形態１に係る情報連携基盤装置の構成例を示す図。
【図３】実施の形態１に係る個人番号管理テーブルの例を示す図。
【図４】実施の形態１に係る情報保有機関装置の構成例を示す図。
【図５】実施の形態１に係る個人情報管理テーブルの例を示す図。
【図６】実施の形態１に係る個人情報交換システムにおける処理手順を示すフローチャート図。
【図７】実施の形態２に係る個人番号登録システムの構成例を示す図。
【図８】実施の形態２に係る個人コード管理装置の構成例を示す図。
【図９】実施の形態２に係る個人コード管理テーブルの例を示す図。
【図１０】実施の形態２に係る情報連携基盤装置の構成例を示す図。
【図１１】実施の形態２に係る個人番号管理テーブルの例を示す図。
【図１２】実施の形態２に係る情報保有機関装置の例を示す図。
【図１３】実施の形態２に係る個人番号登録システムにおける処理手順を示すフローチャート図。
【図１４】実施の形態１及び２に係る情報連携基盤装置のハードウェア構成例を示す図。
【発明を実施するための形態】
【００１０】
実施の形態１．
図１は、本実施の形態に係る個人情報交換システムの構成例を示す。
【００１１】
図１において、情報連携基盤装置１０１は、各情報保有機関が管理する個人番号の対応付けを管理し、必要に応じて相互に変換する。
情報保有機関装置Ａ１０２は、情報保有機関Ａが保持する個人情報を管理し、必要に応じて他の情報保有機関装置に対して個人情報を問合せる。
情報保有機関装置Ｂ１０３は、情報保有機関装置Ａ１０２と同等の機能を持つ情報保有機関Ｂが所有する装置である。
情報保有機関装置Ａ１０２及び情報保有機関装置Ｂ１０３は、それぞれ、個人番号と個人情報とを対応付けて記憶している。
情報連携基盤装置１０１は、情報処理装置の例に相当し、情報保有機関装置Ａ１０２及び情報保有機関装置Ｂ１０３は、情報保有装置の例に相当する。
なお、図１では、個人情報交換システムに含まれる情報保有機関装置は２つであるが、情報保有機関装置の台数は、３つ以上であってもよい。
【００１２】
図２は情報連携基盤装置１０１の構成例を示す。
【００１３】
図２において、個人番号記憶部１１２は、同一個人に対する情報保有機関ごとの暗号化個人番号が関連付けて示される個人番号管理テーブルを記憶している。
つまり、個人番号管理テーブルには、情報保有機関装置Ａ１０２で記憶されている個人番号が暗号化された暗号化個人番号と、情報保有機関装置Ｂ１０３で記憶されている個人番号が暗号化された暗号化個人番号とが示されるとともに、同一人物の暗号化個人番号が関連付けて示される。
個人番号記憶部１１２は、暗号化個人番号情報記憶部の例に相当する。
【００１４】
通信部１１３は、ある情報保有機関装置（以下では、情報保有機関装置Ａ１０２とする）から、他の情報保有機関装置（以下では、情報保有機関装置Ｂ１０３とする）で記憶されている個人情報の送信を要求する問合せメッセージ（送信要求メッセージに相当）を受信する。
この問合せメッセージには、問合せ元の情報保有機関装置Ａ１０２で記憶されている個人番号を暗号化した暗号化個人番号が含まれる。
また、通信部１１３は、後述する個人番号管理部１１１により生成された問合せメッセージ（送信指示メッセージに相当）を、情報保有機関装置Ｂ１０３に送信する。
更に、通信部１１３は、情報保有機関装置Ｂ１０３から、問合せメッセージに対する応答である回答メッセージ（送信指示応答メッセージに相当）を受信する。
また、通信部１１３は、後述する個人番号管理部１１１により生成された回答メッセージ（送信要求応答メッセージに相当）を、情報保有機関装置Ａ１０２に送信する。
通信部１１３は、受信部及び送信部の例に相当する。
【００１５】
個人番号管理部１１１は、個人番号記憶部１１２から個人番号管理テーブルを読み出し、個人番号管理テーブルを参照して、問合せメッセージに含まれる問合せ元の暗号化個人番号に対応する問合せ先の暗号化個人番号を抽出する。
そして、個人番号管理部１１１は、抽出した問合せ先の暗号化個人番号が含まれ、問合せ元の情報保有機関装置Ａ１０２により要求された個人情報の送信を要求する問合せメッセージ（送信指示メッセージに相当）を生成する。
また、個人番号管理テーブルを参照して、通信部１１３が受信した回答メッセージ（送信指示応答メッセージに相当）に含まれる問合せ先の暗号化個人番号に対応する問合せ元の暗号化個人番号を抽出する。
そして、個人番号管理部１１１は、抽出した問合せ元の暗号化個人番号が含まれ、問合せ先の情報保有機関装置Ｂ１０３により提供された個人情報が含まれる回答メッセージ（送信要求応答メッセージに相当）を生成する。
個人番号管理部１１１は、暗号化個人番号抽出部及びメッセージ生成部の例に相当する。
【００１６】
図３は、個人番号記憶部１１２が保持する個人番号管理テーブルの例を示す。
【００１７】
図３において、行（横方向）は、１行が１個人に対応し、個人に対して割り当てられる各情報保有機関ごとの暗号化個人番号を保持する。
情報保有機関Ａが割当てた個人番号Ａ（ｎ）から変換された暗号化個人番号Ａ（ｎ）と同一の個人を示す情報保有機関Ｂにおける暗号化個人番号は暗号化個人番号Ｂ（ｎ）であることを示す。
【００１８】
図４は、情報保有機関装置Ａ１０２の構成例を示す。
情報保有機関装置Ｂ１０３も情報保有機関装置Ａ１０２と同等の手段で構成される。
【００１９】
図４において、個人情報問合せ部１２１は、他の情報保有機関にその情報保有機関が保持する個人情報の問合せ及び他の情報保有機関からの問合せの受付を行う。
【００２０】
個人番号変換部１２２は、個人情報の問合せの発行及び問合せの受付及び問合せの回答及び回答の受取りにおいて、情報保有機関装置Ａ１０２の持つ個人番号と暗号化個人番号との変換処理を行う。
【００２１】
個人情報管理部１２３は、個人情報問合せにおいては他の情報保有機関装置Ｂ１０３に対する問合せ処理を実施し、問合せの受付においては個人情報記憶部１２４の持つ個人情報管理テーブルを参照して該当する個人情報を回答する処理を実施する。
【００２２】
個人情報記憶部１２４は、情報保有機関Ａが持つ個人情報を情報保有機関Ａが割り当てた個人番号と関連付けて記憶する。
【００２３】
通信部１２５は、情報連携基盤装置１０１との間でメッセージを送受信する。
【００２４】
なお、個人番号変換部１２２による個人番号と暗号化個人番号との変換処理は可逆変換であり、例えばＡＥＳ（Ａｄｖａｎｃｅｄ  Ｅｎｃｒｙｐｔｉｏｎ  Ｓｔａｎｄａｒｄ）等の共通鍵暗号化方式を用いる。
この場合、個人番号変換部１２２は暗号化及び復号のための鍵を他の機関には開示せず、情報保有機関ごとに個別に保持して用いる。
なお、用いる暗号系は確定的暗号系（暗号文が平文によって一意に決まる暗号系を確定的暗号系）であることを仮定する。
【００２５】
図５は、情報保有機関装置Ａ１０２の個人情報記憶部１２４が保持する個人情報管理テーブルの例を示す。
【００２６】
図５において、行（横方向）は、１行が１個人に対応し、個人に対して割り当てられる各情報保有機関ごとの属性に対応する個人情報を保持する。
情報保有機関Ａが割当てた個人番号Ａ（ｎ）に該当する個人の属性Ａ（ｍ）に相当する個人情報は個人情報Ａ（ｎ，ｍ）であることを示す。
情報保有機関装置Ｂの個人情報記憶部１２４も情報保有機関Ｂが管理する値で構成される同様のテーブルを持つ。
【００２７】
次に、本実施の形態に係る動作について説明する。
動作を図６のフロー図に示す。
【００２８】
まず、情報保有機関装置Ａ１０２の個人情報管理部１２３が、他の情報保有機関に対する問合せメッセージを生成する（Ｓ１０１）。
ここでは、個人番号Ａ（ｎ）に該当する個人の属性Ｂ（ｍ）に相当する個人情報を情報保有機関Ｂに問合せる場面を考える。
このとき問合せメッセージには個人番号Ａ（ｎ）と属性Ｂ（ｍ）と問合せ元情報（この場合は情報保有機関Ａを示す情報）と問合せ先情報（この場合は情報保有機関Ｂを示す情報）が含まれる。
【００２９】
次に、情報保有機関装置Ａ１０２の個人番号変換部１２２は、個人情報管理部１２３が生成した問合せメッセージに含まれる個人番号Ａ（ｎ）を可逆変換による変換処理によって暗号化個人番号Ａ（ｎ）に変換して置換える（Ｓ１０２）。
このとき、問合せメッセージには暗号化個人番号Ａ（ｎ）と属性Ｂ（ｍ）と問合せ元情報（この場合は情報保有機関Ａを示す情報）と問合せ先情報（この場合は情報保有機関Ｂを示す情報）が含まれる。
可逆変換には必要に応じて個人番号変換部１２２が保持する鍵を用いる。
【００３０】
次に、情報保有機関装置Ａ１０２の個人情報問合せ部１２１は、通信部１２５を介して問合せメッセージを情報連携基盤装置１０１に送付する（Ｓ１０３）。
【００３１】
次に、情報連携基盤装置１０１の個人番号管理部１１１は、個人番号記憶部１１２が保持する個人番号管理テーブルを参照して、問合せメッセージに含まれる暗号化個人番号Ａ（ｎ）を問合せ先情報（この場合は情報保有機関Ｂを示す情報）に基づき、問合せ先の暗号化個人番号Ｂ（ｎ）に置換えて問合せ先である情報保有機関装置Ｂ１０３に送付する（Ｓ１０４）。
つまり、情報連携基盤装置１０１では、通信部１１３が問合せメッセージを受信し、個人番号管理部１１１が個人番号記憶部１１２が保持する個人番号管理テーブルを参照して、情報保有機関装置Ａ１０２の暗号化個人番号Ａ（ｎ）に関連付けられている情報保有機関装置Ｂ１０３の暗号化個人番号Ｂ（ｎ）を抽出する。
そして、個人番号管理部１１１は問合せメッセージの暗号化個人番号Ａ（ｎ）を暗号化個人番号Ｂ（ｎ）に置き換え、通信部１１３は置き換え後の問合せメッセージを情報保有機関装置Ｂ１０３に送付する。
【００３２】
次に、情報保有機関装置Ｂ１０３の個人情報問合せ部１２１は、通信部１２５を介して問合せメッセージを受付ける（Ｓ１０５）。
【００３３】
次に、情報保有機関装置Ｂ１０３の個人番号変換部１２２は、個人情報問合せ部１２１が受付けた問合せメッセージに含まれる暗号化個人番号Ｂ（ｎ）を可逆変換による変換処理によって個人番号Ｂ（ｎ）に変換して置換える（Ｓ１０６）。
このとき、問合せメッセージには個人番号Ｂ（ｎ）と属性Ｂ（ｍ）と問合せ元情報（この場合は情報保有機関Ａを示す情報）と問合せ先情報（この場合は情報保有機関Ｂを示す情報）が含まれる。
可逆変換には必要に応じて個人番号変換部１２２が保持する鍵を用いる。
【００３４】
次に、情報保有機関装置Ｂ１０３の個人情報管理部１２３が、個人情報記憶部１２４の保持する個人情報管理テーブルを参照して、問合せメッセージに含まれる個人番号Ｂ（ｎ）に該当する個人の属性Ｂ（ｍ）に相当する個人情報Ｂ（ｎ，ｍ）を取得して回答メッセージを生成する（Ｓ１０７）。
回答メッセージには、個人番号Ｂ（ｎ）と個人情報Ｂ（ｎ，ｍ）と問合せ元情報（この場合は情報保有機関Ａを示す情報）が含まれる。
【００３５】
次に、情報保有機関装置Ｂ１０３の個人番号変換部１２２は、個人情報管理部１２３が生成した回答メッセージに含まれる個人番号Ｂ（ｎ）を可逆変換による変換処理によって暗号化個人番号Ｂ（ｎ）に変換して置換える（Ｓ１０８）。
このとき、問合せメッセージには暗号化個人番号Ｂ（ｎ）と個人情報Ｂ（ｎ，ｍ）と問合せ元情報（この場合は情報保有機関Ａを示す情報）と問合せ先情報（この場合は情報保有機関Ｂを示す情報）が含まれる。
可逆変換には必要に応じて個人番号変換部１２２が保持する鍵を用いる。
【００３６】
次に、情報保有機関装置Ｂ１０３の個人情報問合せ部１２１は回答メッセージを通信部１２５を介して情報連携基盤装置１０１に送付する（Ｓ１０９）。
【００３７】
次に、情報連携基盤装置１０１の個人番号管理部１１１は、個人番号記憶部１１２が保持する個人番号管理テーブルを参照して、回答メッセージに含まれる暗号化個人番号Ｂ（ｎ）を問合せ元情報（この場合は情報保有機関Ａを示す情報）に基づいて問合せ元の暗号化個人番号Ａ（ｎ）に置換えて問合せ先である情報保有機関装置Ａ１０２に送付する（Ｓ１１０）。
つまり、情報連携基盤装置１０１では、通信部１１３が回答メッセージを受信し、個人番号管理部１１１が個人番号記憶部１１２が保持する個人番号管理テーブルを参照して、情報保有機関装置Ｂ１０３の暗号化個人番号Ｂ（ｎ）に関連付けられている情報保有機関装置Ａ１０２の暗号化個人番号Ａ（ｎ）を抽出する。
そして、個人番号管理部１１１は、回答メッセージの暗号化個人番号Ｂ（ｎ）を暗号化個人番号Ａ（ｎ）に置き換え、通信部１１３は置き換え後の問合せメッセージを情報保有機関装置Ａ１０２に送付する。
【００３８】
次に、情報保有機関装置Ａ１０２の個人情報問合せ部１２１は、通信部１２５を介して回答メッセージを受取る（Ｓ１１１）。
【００３９】
次に、情報保有機関装置Ａ１０２の個人番号変換部１２２は個人情報問合せ部１２１が受取った回答メッセージに含まれる暗号化個人番号Ａ（ｎ）を可逆変換による変換処理によって個人番号Ａ（ｎ）に変換して置換える（Ｓ１１２）。
このとき問合せメッセージには個人番号Ａ（ｎ）と個人情報Ｂ（ｎ，ｍ）と問合せ元情報（この場合は情報保有機関Ａを示す情報）と問合せ先情報（この場合は情報保有機関Ｂを示す情報）が含まれる。
可逆変換には必要に応じて個人番号変換部１２２が保持する鍵を用いる。
【００４０】
次に、情報保有機関装置Ａ１０２の個人情報管理部１２３によって他の情報保有機関に対する回答メッセージを参照する（Ｓ１１３）。
【００４１】
以上のように、情報保有機関装置で個人番号の可逆変換による変換処理を行い、情報保有機関装置では対応する暗号化個人番号の抽出を行えるようにしたため、従来は番号連携に４つのステップを必要としたところ、本実施の形態によると安全性を保ったまま３つのステップ（問合せ元での個人番号の暗号化、情報連携基盤装置での暗号化個人番号の抽出、問合せ先での暗号化個人番号の復号）しか必要としないようにすることができる。
【００４２】
また、情報保有機関装置では番号連携を可逆変換で行うようにしているので、番号変換テーブルの管理を必要としないようにすることができ、安全性を保ったまま既存システムの改修量を削減することができる。
【００４３】
本実施の形態では、以下の手段を備えた個人情報交換装置を説明した。
（ａ）可逆変換による個人番号変換手段を備えた情報保有機関装置。
（ｂ）暗号化個人番号間のマッピングを管理し、情報保有機関間の暗号化個人番号の対応付けを（個人コードを介さず）直接引ける個人番号記憶手段を備えた情報連携基盤装置。
【００４４】
実施の形態２．
以上の実施の形態１では、情報保有機関から他の情報保有機関に対して個人情報を問合せるような場合の業務フローに適用したものであるが、それに加えて番号連携を行うための初期の個人番号登録を行うような場合の業務フローに適用する実施形態を示す。
【００４５】
従来は、初期の番号登録において、（１）情報保有機関からの番号の登録要求、（２）情報連携基盤から個人コード生成機関への個人コードの生成の要求、（３）個人コード生成機関から情報連携基盤への個人コードの通知、（４）情報連携基盤での個人コードから情報保有機関向け符号の生成と送付という４つの通信を必要とし、通信効率が悪いという課題があった。
本実施の形態では、このような課題を解決する。
【００４６】
図７は、本実施の形態に係る個人番号登録システムの構成例を示す。
【００４７】
図７において、個人コード管理装置２０１は、対象となるすべての個人に唯一つ割当てる個人コードを生成し、個人に係る基本情報と関連付けて管理する。
情報連携基盤装置２０２は、各情報保有機関が管理する個人番号の対応付けを管理し、必要に応じて相互に変換する。
情報保有機関装置Ａ２０３は、情報保有機関Ａが保持する個人情報を管理し、必要に応じて他の情報保有機関装置に対して個人情報を問合せる。
更に、情報保有機関装置Ａ２０３は、情報連携基盤装置２０２に対して情報保有機関Ａが管理する個人情報を登録する。
本実施の形態では、情報連携基盤装置２０２が情報処理装置の例に相当し、情報保有機関装置Ａ２０３が情報保有装置の例に相当する。
【００４８】
図８は、個人コード管理装置２０１の構成例を示す。
【００４９】
図８において、個人コード管理部２１１は、個人コード記憶部２１２が管理している個人コード管理テーブルを参照し、情報連携基盤装置２０２より送付される個人コード要求メッセージを処理して、対応する個人コードを返送する。
個人コード記憶部２１２は、個人に係る基本情報と個人コードとを対応付けて記憶する。
通信部２１３は、情報連携基盤装置２０２と通信する。
【００５０】
図９は、個人コード記憶部２１２が保持する個人コード管理テーブルである。
図９において個人コードは対象となるすべての個人に対して唯一つ割当てるコード（数値や記号など）であり、基本情報はその個人に関する情報（住所、氏名、性別、生年月日など）であり、個人コード管理テーブルによって両者の対応が保持される。
【００５１】
図１０は、情報連携基盤装置２０２の構成例を示す。
【００５２】
個人番号管理部１１１は、図２に示したものと同じである。
【００５３】
通信部１１３は、図２に示したものと同じである。
但し、本実施の形態では、通信部１１３は、情報保有機関装置Ａ２０３から暗号化個人番号登録要求メッセージを受信し、また、個人番号登録部２２１により生成された個人コード要求メッセージを個人コード管理装置２０１に送信する。
また、通信部１１３は、個人コード管理装置２０１から個人コードを受信する。
【００５４】
個人番号登録部２２１は、情報保有機関装置Ａ２０３からの暗号化個人番号登録要求メッセージを受付け、個人コード管理装置２０１に対して個人コードを要求し、個人番号記憶部２２２に当該暗号化個人番号と当該個人コードを対応付けて登録させる。
より具体的には、個人番号登録部２２１は、情報保有機関装置Ａ２０３から受信した暗号化個人番号登録要求メッセージから個人コード要求メッセージを生成する。
また、個人番号登録部２２１は、個人コード管理装置２０１から受信した個人コードと暗号化個人番号とを対応付けて個人番号記憶部２２２に登録させる。
暗号化個人番号登録要求メッセージは、特定の個人の基本情報を暗号化した暗号化基本情報と、この特定の個人の個人番号を暗号化した暗号化個人番号とが含まれるメッセージであり、暗号化個人番号の登録を要求するメッセージである。
また、個人コード要求メッセージは、暗号化個人番号登録要求メッセージに含まれる暗号化基本情報が含まれ、個人コード管理装置２０１に対して個人コードの送信を要求するメッセージである。
個人番号登録部２２１は、暗号化個人番号登録部及びメッセージ生成部の例に相当する。
【００５５】
個人番号記憶部２２２は、同一個人に対する個人コードと各情報保有機関の暗号化個人番号とを対応付けて保持する。
【００５６】
図１１は、個人番号記憶部２２２が保持する個人番号管理テーブルである。
図１１において、行（横方向）は、１行が１個人に対応し、個人に対して割当てられる個人コードと各情報保有機関ごとの暗号化個人番号を保持する。
個人コード（ｎ）と同一の個人を示す情報保有機関Ａの暗号化個人番号は暗号化個人番号Ａ（ｎ）であり、それと同一の個人を示す情報保有機関Ｂにおける暗号化個人番号は暗号化個人番号Ｂ（ｎ）であることを示す。
【００５７】
図１２は情報保有機関装置Ａ２０３の構成図である。
図１２において、個人情報問合せ部１２１、個人番号変換部１２２、個人情報管理部１２３、個人情報記憶部１２４は図４に示したものと同じである。
個人番号登録要求部２３１は、情報連携基盤装置２０２に対して暗号化個人番号の登録を要求する。
【００５８】
次に、本実施の形態に係る動作について説明する。
動作を図１３のフロー図に示す。
【００５９】
まず、情報保有機関装置Ａ２０３の個人番号登録要求部２３１は、登録しようとする個人の情報保有機関Ａで割当てた個人番号Ａ（ｎ）と基本情報（ｎ）を取得し、個人番号は個人番号変換部１２２によって暗号化個人番号Ａ（ｎ）に変換し、基本情報（ｎ）は個人番号登録要求部２３１において暗号化して両者を暗号化個人番号登録要求メッセージに含めて情報連携基盤装置２０２に送付する（Ｓ２０１）。
このとき、基本情報（ｎ）の暗号化は情報連携基盤装置２０２では復号できず、個人コード管理装置２０１のみで復号できる暗号化方式によって行う。
また、暗号化個人番号登録要求メッセージには暗号化基本情報（ｎ）と暗号化個人番号Ａ（ｎ）と登録要求元情報（この場合は情報保有機関Ａを示す情報）が含まれる。
【００６０】
次に、情報連携基盤装置２０２の個人番号登録部２２１は、通信部１１３を介して個人番号登録要求メッセージを受け取り、受取った個人番号登録要求メッセージの暗号化基本情報（ｎ）を含む個人コード要求メッセージを生成する。
そして、個人番号登録部２２１は、通信部１１３を介して個人コード要求メッセージを個人コード管理装置２０１に送付する（Ｓ２０２）。
【００６１】
次に、個人コード管理装置２０１の個人コード管理部２１１が、個人コード要求メッセージに含まれる暗号化基本情報（ｎ）を復号して個人コード記憶部２１２が管理している個人コード管理テーブルを参照し、対応する個人コード（ｎ）を取得し、情報連携基盤装置２０２に送付する（Ｓ２０３）。
【００６２】
次に、情報連携基盤装置２０２の個人番号登録部２２１は、通信部１１３を介して個人コード（ｎ）を受け取り、受取った個人コード（ｎ）を先に受取っていた暗号化個人番号Ａ（ｎ）と関連付けて個人番号記憶部２２２に保存する。
【００６３】
以上のように、情報保有機関装置で個人番号の可逆変換による変換処理を行い、情報保有機関装置に対して暗号化個人番号を登録するようにしたため、従来は番号登録に４回の通信を必要としたところ、本実施の形態によると安全性を保ったまま３つの通信（情報保有機関装置からの番号の登録要求、情報連携基盤装置から個人コード管理装置への個人コードの生成の要求、個人コード管理装置から情報連携基盤装置への個人コードの通知）しか必要としないようにすることができる。
【００６４】
なお、本実施の形態に示した手順により情報連携基盤装置が個人コードを介して各情報保有機関装置の暗号化個人番号を関連付けて登録した後は、各情報保有機関装置は、他の情報保有機関装置が保有する個人情報の送信を、実施の形態１に示した手順により情報連携基盤装置に要求することができる。
【００６５】
本実施の形態では、以下の手段を備えた個人情報交換装置を説明した。
（ａ）可逆変換による個人番号変換手段を備えているために、情報保有機関主導による個人番号登録要求が可能な個人番号登録要求手段を備えた情報保有機関装置。
（ｂ）暗号化個人番号間のマッピングを管理し、情報保有機関からの登録要求に応じて番号登録を行う個人番号登録手段。
（ｃ）番号登録に個人基本情報の開示が不要な個人番号登録手段。
【００６６】
以上、本発明の実施の形態について説明したが、これらの実施の形態のうち、２つ以上を組み合わせて実施しても構わない。
あるいは、これらの実施の形態のうち、１つを部分的に実施しても構わない。
あるいは、これらの実施の形態のうち、２つ以上を部分的に組み合わせて実施しても構わない。
なお、本発明は、これらの実施の形態に限定されるものではなく、必要に応じて種々の変更が可能である。
【００６７】
最後に、実施の形態１及び２に示した情報連携基盤装置１０１、２０２のハードウェア構成例を図１４を参照して説明する。
情報連携基盤装置１０１、２０２はコンピュータであり、情報連携基盤装置１０１、２０２の各要素をプログラムで実現することができる。
情報連携基盤装置１０１、２０２のハードウェア構成としては、バスに、演算装置９０１、外部記憶装置９０２、主記憶装置９０３、通信装置９０４、入出力装置９０５が接続されている。
【００６８】
演算装置９０１は、プログラムを実行するＣＰＵ（Ｃｅｎｔｒａｌ  Ｐｒｏｃｅｓｓｉｎｇ  Ｕｎｉｔ）である。
外部記憶装置９０２は、例えばＲＯＭ（Ｒｅａｄ  Ｏｎｌｙ  Ｍｅｍｏｒｙ）やフラッシュメモリ、ハードディスク装置である。
主記憶装置９０３は、ＲＡＭ（Ｒａｎｄｏｍ  Ａｃｃｅｓｓ  Ｍｅｍｏｒｙ）である。
通信装置９０４は、通信部１１３の物理層に対応する。
入出力装置９０５は、例えばマウス、キーボード、ディスプレイ装置等である。
【００６９】
プログラムは、通常は外部記憶装置９０２に記憶されており、主記憶装置９０３にロードされた状態で、順次演算装置９０１に読み込まれ、実行される。
プログラムは、図２及び図１０に示す「〜部」（但し、「個人番号記憶部」を除く。以下でも同様）として説明している機能を実現するプログラムである。
更に、外部記憶装置９０２にはオペレーティングシステム（ＯＳ）も記憶されており、ＯＳの少なくとも一部が主記憶装置９０３にロードされ、演算装置９０１はＯＳを実行しながら、図１に示す「〜部」の機能を実現するプログラムを実行する。
また、実施の形態１及び２の説明において、「〜の判断」、「〜の判定」、「〜の抽出」、「〜の検知」、「〜の設定」、「〜の登録」、「〜の選択」、「〜の生成」、「〜の入力」、「〜の出力」等として説明している処理の結果を示す情報やデータや信号値や変数値が主記憶装置９０３にファイルとして記憶されている。
また、暗号鍵・復号鍵や乱数値やパラメータが、主記憶装置９０３にファイルとして記憶されてもよい。
【００７０】
なお、図１４の構成は、あくまでも情報連携基盤装置１０１、２０２のハードウェア構成の一例を示すものであり、情報連携基盤装置１０１、２０２のハードウェア構成は図１４に記載の構成に限らず、他の構成であってもよい。
また、実施の形態１及び２に示した情報保有機関装置及び個人コードも、図１４のハードウェア構成をしていてもよいし、他のハードウェア構成であってもよい。
【００７１】
また、実施の形態１及び２に示す手順により、本発明に係る情報処理方法を実現可能である。
【符号の説明】
【００７２】
１０１  情報連携基盤装置、１０２  情報保有機関装置Ａ、１０３  情報保有機関装置Ｂ、１１１  個人番号管理部、１１２  個人番号記憶部、１１３  通信部、１２１  個人情報問合せ部、１２２  個人番号変換部、１２３  個人情報管理部、１２４  個人情報記憶部、１２５  通信部、２０１  個人コード管理装置、２０２  情報連携基盤装置、２０３  情報保有機関装置Ａ、２１１  個人コード管理部、２１２  個人コード記憶部、２１３  通信部、２２１  個人番号登録部、２２２  個人番号記憶部、２３１  個人番号登録要求部。
【図１】
2014235708.tif 000003
【図２】
2014235708.tif 000004
【図３】
2014235708.tif 000005
【図４】
2014235708.tif 000006
【図５】
2014235708.tif 000007
【図６】
2014235708.tif 000008
【図７】
2014235708.tif 000009
【図８】
2014235708.tif 000010
【図９】
2014235708.tif 000011
【図１０】
2014235708.tif 000012
【図１１】
2014235708.tif 000013
【図１２】
2014235708.tif 000014
【図１３】
2014235708.tif 000015
【図１４】
2014235708.tif 000016